(57)【要約】【課題】電力が不要である表情筋トレーニング器具を提供する。【解決手段】表情筋トレーニング器具は、本体部と、該本体部に設けられたマウスピース部と、該本体部の内部に収容された振動付与機構４と、振動付与機構４を前記本体部の外部から操作可能な操作部５とを備える。振動付与機構４は、渦巻ばね６と、渦巻ばね６に連結され、渦巻ばね６の巻き締め方向及び巻き戻し方向に回転可能な第１回転軸７と、第１回転軸７の前記巻き戻し方向の回転動力を受けて回転する偏心錘８を備える。操作部５は、第１回転軸７に前記巻き締め方向の回転動力を入力可能である。【選択図】図３
0003212522.tif 000002
【実用新案登録請求の範囲】
【請求項１】
本体部と、該本体部に設けられたマウスピース部と、該本体部の内部に収容された振動付与機構と、該振動付与機構を前記本体部の外部から操作可能な操作部とを備えた表情筋トレーニング器具であって、
前記振動付与機構は、渦巻ばねと、該渦巻ばねに連結され、該渦巻ばねの巻き締め方向及び巻き戻し方向に回転可能な回転軸と、該回転軸の前記巻き戻し方向の回転動力を受けて回転する偏心錘を備え、
前記操作部は、前記回転軸に前記巻き締め方向の回転動力を入力可能であることを特徴とする表情筋トレーニング器具。
【請求項２】
前記操作部は、前記回転軸に設けられたプーリと、一端側が該プーリに固定された状態で該プーリに巻き回され、他端側が前記本体部の貫通孔を貫通して該本体部の外部に露出する操作紐を備えており、該操作紐の他端側を牽引することにより、前記回転軸に前記巻き締め方向の回転動力を入力することを特徴とする請求項１に記載の表情筋トレーニング器具。
【請求項３】
前記操作紐の他端に摘まみ部が設けられていることを特徴とする請求項２に記載の表情筋トレーニング器具。
【請求項４】
前記マウスピース部は、前記マウスピース部を咥えた時に、唇の内側と係合する凸状の係合部を有することを特徴とする請求項１〜３の何れか１項に記載の表情筋トレーニング器具。
【考案の詳細な説明】
【技術分野】
【０００１】
本考案は、表情筋をトレーニングするための表情筋トレーニング器具に関する。
【背景技術】
【０００２】
人間の顔には、目、鼻、口等を動かし、表情を作り出す表情筋と呼ばれる筋肉がある。表情筋のうち、例えば、口の周りに存在する口輪筋、頬筋等は、衰えると、ホウレイ線や頬のたるみ等の原因となる。
【０００３】
このような問題に対して、例えば特許文献１には、唇で咥えられる咥え部が振動することによって表情筋をトレーニングする器具が記載されている。しかしながら、この器具では、咥え部を振動させるためにモータを使用するので、電力が必要である。
【先行技術文献】
【特許文献】
【０００４】
【特許文献１】特開２０１６−１９８４２９号公報
【考案の概要】
【考案が解決しようとする課題】
【０００５】
本考案は、上記事情に鑑み、電力が不要である表情筋トレーニング器具を提供することを技術的課題とする。
【課題を解決するための手段】
【０００６】
前記課題を解決するために創案された本考案に係る表情筋トレーニング器具は、本体部と、該本体部に設けられたマウスピース部と、該本体部の内部に収容された振動付与機構と、該振動付与機構を前記本体部の外部から操作可能な操作部とを備えた表情筋トレーニング器具であって、前記振動付与機構は、渦巻ばねと、該渦巻ばねに連結され、該渦巻ばねの巻き締め方向及び巻き戻し方向に回転可能な回転軸と、該回転軸の前記巻き戻し方向の回転動力を受けて回転する偏心錘を備え、前記操作部は、前記回転軸に前記巻き締め方向の回転動力を入力可能であることを特徴とする。ここで、渦巻ばねの巻き締め方向とは、渦巻ばねを巻き締める方向の回転方向であり、渦巻ばねの巻き戻し方向とは、渦巻ばねを巻き締める方向とは反対の回転方向である（以下、同様）。
【０００７】
この構成によれば、振動付与機構により、本体部を振動させて、マウスピース部を振動させることができる。従って、マウスピース部を唇で咥えていると、表情筋をトレーニングすることができる。
【０００８】
この構成でマウスピース部が振動する原理は次のようなものである。操作部を使用して、回転軸に巻き締め方向の回転動力を入力することにより、渦巻ばねが巻き締められる。そして、操作部による回転動力の入力を停止すると、渦巻ばねが、その弾性反発力により元の状態に戻ろうとし、渦巻ばねから回転軸に巻き戻し方向の回転動力が入力される。すると、この回転軸の巻き戻し方向の回転動力を受けて、偏心錘が回転する。偏心錘が回転することにより、本体部が振動してマウスピース部が振動する。このように、この構成では、マウスピース部を振動させるために、渦巻ばねを駆動源として使用するので、電力を必要としない。すなわち、本考案に係る表情筋トレーニング器具によれば、電力が不要である表情筋トレーニング器具を提供することができる。
【０００９】
上記の構成において、前記操作部は、前記回転軸に設けられたプーリと、一端側が該プーリに固定された状態で該プーリに巻き回され、他端側が前記本体部の貫通孔を貫通して該本体部の外部に露出する操作紐を備えており、該操作紐の他端側を牽引することにより、前記回転軸に前記巻き締め方向の回転動力を入力してもよい。
【００１０】
この構成によれば、操作部による回転軸への巻き締め方向の回転動力の入力を容易にすることができる。
【００１１】
上記の構成において、前記操作紐の他端に摘まみ部が設けられていてもよい。
【００１２】
この構成によれば、摘まみ部を摘まむことにより、操作紐の他端側を牽引することを容易にすることができる。
【００１３】
上記の構成において、前記マウスピース部は、前記マウスピース部を咥えた時に、唇の内側と係合する凸状の係合部を有してもよい。
【００１４】
この構成によれば、マウスピース部が振動した時に、マウスピース部が唇から外れることを抑制することができる。
【考案の効果】
【００１５】
以上のように本考案によれば、電力が不要である表情筋トレーニング器具を提供することができる。
【図面の簡単な説明】
【００１６】
【図１】本考案の実施形態に係る表情筋トレーニング器具を示す正面方向からの斜視図である。
【図２】本考案の実施形態に係る表情筋トレーニング器具を示す背面方向からの斜視図である。
【図３】表情筋トレーニング器具の内部の構造を示す概略正面図である。
【図４】図３のＸ−Ｘ線矢視断面図である。
【図５】（Ａ）が偏心錘の下面図（図３のＡ矢視図）であり、（Ｂ）が爪付車の平面図（図３のＢ矢視図）である。
【図６】表情筋トレーニング器具の使用状態を示す概略図である。
【考案を実施するための形態】
【００１７】
図１及び図２に示すように、本考案の実施形態に係る表情筋トレーニング器具１は、本体部２と、本体部２に設けられたマウスピース部３と、本体部２の内部に収容された振動付与機構４（図３参照）と、振動付与機構４を本体部２の外部から操作可能な操作部５とを備える。
【００１８】
本体部２は、正面側が唇を模した形状を成しており、例えばＡＢＳ樹脂等で形成されている。本体部２は、唇を模した形状の部分の上唇と下唇の間の横方向中央に、外部空間と内部空間とを連通する貫通孔２ａを有する。
【００１９】
マウスピース部３は、本体部２の背面側に着脱自在に取り付けられており、例えばシリコーンゴム等で形成されている。マウスピース部３は、マウスピース部３を咥えた時に、唇の内側と係合する凸状の係合部３ａを有する。係合部３ａは、マウスピース部３において、本体部２とは反対側の端部に全周に亘って連続的に形成されている。
【００２０】
図３及び図４に示すように、振動付与機構４は、渦巻ばね６と、渦巻ばね６に連結され、渦巻ばね６の巻き締め方向及び巻き戻し方向に回転可能な第１回転軸７と、第１回転軸７の巻き戻し方向の回転動力を受けて回転する偏心錘８を備える。
【００２１】
操作部５は、第１回転軸７の下端に設けられたプーリ９と、一端側がプーリ９に固定された状態でプーリ９に巻き回され、他端側が本体部２の貫通孔２ａを貫通して本体部２の外部に露出する操作紐１０を備えている。操作紐１０の他端側を牽引することにより、第１回転軸７に巻き締め方向の回転動力を入力することができる。操作紐１０は、例えば、糸を撚ったものであるが、細長い軟質の樹脂等であってもよい。
【００２２】
操作紐１０の他端には、操作紐１０を牽引する際に摘まむための摘まみ部１０ａが設けられている。摘まみ部１０ａは、平面視でハート形状をなし、例えばＡＢＳ樹脂等で形成されている。
【００２３】
渦巻ばね６は、上方が開口した収容箱１１に収容されており、収容箱１１が、本体部２の内部に固定されている。渦巻ばね６の内側の端部が第１回転軸７の中間部に固定されており、渦巻ばね６の外側の端部が収容箱１１に固定されている。
【００２４】
偏心錘８は、第２回転軸１２の下端に偏心した状態で固定されており、図５（Ａ）に示すように、底面視で、略扇形状をなす。なお、第１回転軸７と第２回転軸１２は、収容箱１１の底部に対して、回転自在な状態で貫通している。
【００２５】
第１回転軸７の上端側には、図５（Ｂ）に示すように、周方向の一方向に向かって突出した爪１３ａを複数有する爪付車１３が固定されている。一方、第２回転軸１２の上端側には、歯車１４が固定されている。爪付車１３は、二段歯車１５の下段の歯車１５ａと係合し、歯車１４は、二段歯車１５の上段の歯車１５ｂと噛合する。詳述すれば、爪付車１３は、第１回転軸７が巻き締め方向に回転した場合には、下段の歯車１５ａに対し、爪１３ａが滑ってほとんど回転を伝達しない。一方、爪付車１３は、第１回転軸７が巻き戻し方向に回転した場合には、下段の歯車１５ａに対して爪１３ａが引っ掛かって回転を伝達する。
【００２６】
表情筋トレーニング器具１を使用する場合には、図６に示すように、表情筋トレーニング器具１のマウスピース部３を、唇で咥える。そして、摘まみ部１０ａを摘まんで操作紐１０を牽引する。そして、摘まみ部１０ａから手を離すと、本体部２とマウスピース部３が振動する。
【００２７】
この際の表情筋トレーニング器具１の動作は次のようになる。摘まみ部１０ａを摘まんで操作紐１０を牽引すると、プーリ９に巻き取られていた操作紐１０が牽引されることにより、第１回転軸７が巻き締め方向に回転する。これにより、渦巻ばねが巻き締められる。一方、下段の歯車１５ａに対して爪付車１３の爪１３ａが滑り、第１回転軸７の回転が二段歯車１５にほとんど伝達されないので、偏心錘８は、ほとんど回転しない。
【００２８】
摘まみ部１０ａから手を離すと、巻き締められた渦巻ばね６が、その弾性反発力により元の状態に戻ろうとし、渦巻ばね６から第１回転軸７に巻き戻し方向の回転動力が入力され、第１回転軸７が巻き戻し方向に回転する。すると、下段の歯車１５ａに対して爪付車１３の爪１３ａが引っ掛かり、第１回転軸７の回転が、二段歯車１５、歯車１４を介して、第２回転軸１２に伝達され、偏心錘８が回転する。これにより、本体部２が振動し、マウスピース部３が振動する。同時に、第１回転軸７の回転により、操作紐１０が、貫通孔２ａを通って本体部２内に引き込まれ、プーリ９に巻き取られる。
【００２９】
このように、表情筋トレーニング器具１では、本体部２とマウスピース部３が振動するので、表情筋をトレーニングすることができる。特に、口の周りにある表情筋（口輪筋、頬筋等）をトレーニングすることができ、ホウレイ線や頬のたるみ等を抑制することが可能である。なお、マウスピース部３を歯で咥えると、口輪筋、頬筋等をトレーニングする効果が薄れるため、ホウレイ線や頬のたるみ等を抑制する効果はあまり期待できない。
【００３０】
また、表情筋トレーニング器具１では、マウスピース部３を振動させるために、渦巻ばね６を駆動源として使用するので、電力を必要としない。すなわち、本実施形態に係る表情筋トレーニング器具１によれば、電力が不要である表情筋トレーニング器具を提供することができる。
【００３１】
以上、本考案の実施形態について説明したが、本考案は上述の実施形態に限定されるものではなく、本考案の技術的思想の範囲で、様々な変更が可能である。
【符号の説明】
【００３２】
１      表情筋トレーニング器具
２      本体部
２ａ    貫通孔
３      マウスピース部
３ａ    係合部
４      振動付与機構
５      操作部
６      渦巻ばね
７      第１回転軸
８      偏心錘
９      プーリ
１０    操作紐
１０ａ  摘まみ部
【図１】
0003212522.tif 000003
【図２】
0003212522.tif 000004
【図３】
0003212522.tif 000005
【図４】
0003212522.tif 000006
【図５】
0003212522.tif 000007
【図６】
0003212522.tif 000008